(57)【要約】【課題】１回の整理計数処理で２種類の金種の紙幣を整理するための手段を提供する。【解決手段】紙幣処理機１０は、整理計数処理を実行するとき、紙幣投入部１３に投入された複数の金種が混在する紙幣を１枚ずつ鑑別部１５に搬送し、鑑別部１５による鑑別結果から最初に特定した金種の紙幣を一時保管部１６に集積し、２番目に特定した金種の紙幣を予備収納庫１８ａに集積し、投入口センサ１３ａで投入口に紙幣が無いことを確認してから、一時保管部１６に集積した紙幣を出金口に搬送し、出金口センサ１７ａで出金口に紙幣が無いことを確認して予備収納庫１８ａに集積した紙幣を出金口に搬送する。【選択図】図２
2010176430.tif 000002
【特許請求の範囲】
【請求項１】
紙幣が投入される紙幣投入部と、該紙幣投入部から１枚ずつ搬送される紙幣を鑑別、計数する鑑別部と、鑑別した紙幣を一時保管する一時保管部と、紙幣を収納する複数の紙幣収納庫と、紙幣入金時にはリジェクト口として機能する出金口とを有する紙幣処理機であって、
整理計数処理を実行するとき、前記複数の紙幣収納庫の少なくとも１つを空にして空き収納庫としておき、前記紙幣投入部に投入された複数の金種が混在する紙幣を１枚ずつ前記鑑別部に搬送し、前記鑑別部による鑑別結果から最初に特定した金種の紙幣を前記一時保管部と前記空き収納庫の何れか一方に搬送して集積し、２番目に特定した金種の紙幣を前記一時保管部と前記空き収納庫の他方に搬送して集積し、
投入された全ての紙幣を搬送してから、前記一時保管部と前記空き収納庫の一方に集積した紙幣を前記出金口に搬送し、前記一時保管部と前記空き収納庫の他方に集積した紙幣を前記出金口に搬送することを特徴とする紙幣処理機。
【請求項２】
請求項１に記載の紙幣処理機において、
上位端末から紙幣枚数の情報を受信したときは、前記２番目に特定した金種の紙幣を前記紙幣枚数分だけ前記一時保管部と前記空き収納庫の他方に集積することを特徴とする紙幣処理機。
【請求項３】
請求項１に記載の紙幣処理機において、
上位端末から指定金種とその紙幣枚数の情報を受信したときは、受信した前記指定金種の紙幣を受信した前記紙幣枚数分だけ前記一時保管部と前記空き収納庫の何れか一方に搬送して集積し、前記鑑別部による鑑別結果から前記指定枚数以外の金種で最初に特定した金種の紙幣を前記一時保管部と前記空き収納庫の他方に搬送して集積することを特徴とする紙幣処理機。
【請求項４】
請求項１、請求項２または請求項３に記載の紙幣処理機において、
前記紙幣投入部内の紙幣を検知する投入口センサと、出金口内の紙幣を検知する出金口センサとを設け、
前記投入口センサの検知により前記紙幣投入部内に紙幣が無いことを確認して前記一時保管部と前記空き収納庫の一方から出金口へ紙幣を搬送し、
前記出金口センサの検知により出金口内に紙幣が無いことを確認して前記一時保管部と前記空き収納庫の他方から前記出金口に紙幣を搬送することを特徴とする紙幣処理機。
【請求項５】
請求項４に記載の紙幣処理機において、
前記投入口センサの検知により前記紙幣投入部内に紙幣が無いことを確認すると共に、上位端末から紙幣を搬送する指示を受信したときに前記一時保管部と前記空き収納庫の一方から前記出金口へ紙幣を搬送し、
前記出金口センサの検知により出金口内に紙幣が無いことを確認すると共に、上位端末から紙幣を搬送する指示を受信したときに前記一時保管部と前記空き収納庫の他方から前記出金口へ紙幣を搬送することを特徴とする紙幣処理機。
【請求項６】
請求項５に記載の紙幣処理機において、
前記上位端末から受信する前記一時保管部と前記空き収納庫の一方から出金口に紙幣を搬送する指示は、前記投入口センサで前記紙幣投入部に紙幣が無いことを確認した旨の電文を上位端末に送信することで上位端末の表示画面に表示される紙幣搬送の指示入力を促す画面で入力される指示であって、
前記上位端末から受信する前記一時保管部と前記空き収納庫の他方から出金口に紙幣を搬送する指示は、前記出金口センサで出金口に紙幣が無いことを確認した旨の電文を上位端末に送信することで上位端末の表示画面に表示される紙幣搬送の指示入力を促す画面で入力される指示であることを特徴とする紙幣処理機。
【発明の詳細な説明】
【技術分野】
【０００１】
本発明は、金融機関の窓口に設置される紙幣処理機に関し、特に多種類の紙幣を金種ごとに整理するための手段に関する。
【背景技術】
【０００２】
一般的な窓口に設置される紙幣処理機は、窓口係員が操作する窓口端末と接続して銀行窓口にて入金取引が行われる際には窓口係員が顧客から預かった紙幣が投入され、その紙幣の入金処理を行っている。また複数の金種が混在した紙幣を投入させることで、投入された紙幣を金種ごとに整理して出金する整理計数処理を行う機能も有している。
従来の紙幣処理機による整理計数処理は、複数金種が混在する紙幣が投入されると、特定の金種の紙幣を第１のスタッカに搬送して集積し、その他の金種は第２のスタッカに集積している（例えば、特許文献１参照。）。
【特許文献１】特許２６２４９２３号公報（段落「００１３」―段落「００１９」、図３）
【発明の開示】
【発明が解決しようとする課題】
【０００３】
しかしながら、上述した従来の技術においては、１回の整理計数処理で特定の１金種しか整理できないことになり、他の金種についても整理したい場合は再度整理計数処理を開始しなくてはならいという問題点がある。
本発明は、上記の問題点を解決するための手段を提供することを目的とする。
【課題を解決するための手段】
【０００４】
本発明は、上記課題を解決するために、投入される紙幣を受け入れる紙幣投入部と、該紙幣投入部から１枚ずつ搬送される紙幣の金種を鑑別する鑑別部と、鑑別した紙幣を一時保管する一時保管庫と、紙幣を収納する紙幣収納部と、該紙幣収納部内の紙幣を出金する出金口とを有する紙幣処理機であって、前記紙幣収納部に整理計数処理を行った際に紙幣を集積するカセットを設け、整理計数処理で前記紙幣投入部に投入された紙幣の内、前記鑑別部により最初に特定した金種の紙幣を前記一時保管庫に集積し、前記鑑別部により２番目に特定した金種の紙幣を前記カセットに集積し、全ての紙幣を鑑別してから前記一時保管部内の紙幣を前記出金口に搬送して、前記カセット内の紙幣を前記出金口に搬送することを特徴とする。
【発明の効果】
【０００５】
これにより、本発明は、整理計数処理を行ったときに紙幣処理機に投入された紙幣から２種類の金種を特定し、最初に特定した金種は一時保管部に集積して２番目に特定した金種は紙幣収納部の収納庫に集積するため、１回の整理計数処理で２種類の金種の紙幣を整理することができ、窓口係員にとって整理計数処理にかかる手間を軽減することができるという効果が得られる。
【図面の簡単な説明】
【０００６】
【図１】実施例１の紙幣処理機を含む窓口取引システムを示すブロック図
【図２】紙幣処理機の構成を示す概略図
【図３】実施例１の整理計数処理を示すフローチャート
【図４】実施例２の整理計数処理を示すフローチャート
【図５】実施例３の整理計数処理を示すフローチャート
【発明を実施するための最良の形態】
【０００７】
以下に、図面を参照して本発明による紙幣処理機の実施例について説明する。
【実施例１】
【０００８】
図１は実施例１の紙幣処理機を含む窓口取引システムを示すブロック図である。
図１において、１は窓口端末（上位端末）であり、金融機関の店舗の窓口に設置され、ＬＣＤやＣＲＴ等の窓口表示部２やキーボードやマウス等の窓口入力部３を備えており、窓口係員の操作によって顧客との間で窓口取引処理を行う。
４は窓口端末１の窓口制御部であり、窓口記憶部５に格納された窓口取引処理の制御プログラムに従って窓口端末１の各部を制御する。
【０００９】
５は窓口記憶部であり、窓口制御部４が実行する窓口取引処理のための制御プログラムを格納する他、窓口制御部４による処理結果等を記憶する。
ここで、図２は紙幣処理機の構成を示す概略図である。
図１、図２において１０は紙幣処理機であり、ＬＡＮを介して窓口端末１と通信可能に接続することで、その窓口端末１から受付けた指示に従って紙幣の入出金処理を行う機能を有する。
【００１０】
１１は処理機制御部であり、処理機記憶部１２に格納された制御プログラムによって紙幣処理機１０の各部を制御し、紙幣の入出金処理や本実施例の紙幣を金種ごとに整理する整理計数処理を遂行する。
１２は処理機記憶部であり、処理機制御部１１が実行する紙幣の入出金処理のための制御プログラムや整理計数処理のための制御プログラムを格納する他、処理機制御部１１による処理結果を記憶する。
【００１１】
１３は紙幣投入部であり、紙幣投入口を有しており、紙幣投入口に投入された紙幣を受入れ、その紙幣を１枚ずつ搬送路１４に繰出す機能を有するほか、紙幣投入口内の紙幣の有無を検知する投入口センサ１３ａを有している。
１４は搬送路であり、紙幣投入部１３によって繰出された現金を紙幣処理機１０の各部へと搬送する。なお途中に複数のブレードを配してそのブレードを動かして搬送方向の切替えを行っている。
【００１２】
１５は鑑別部であり、光学センサや磁気センサ等の各種センサを備え、搬送された紙幣のすかしやホログラム等の光学的特徴や、磁気パターン等の磁気的特徴を取得し、それらの特徴をもとにして紙幣の真偽や正損、金種等を鑑別する。
また、鑑別部１５は光学センサによって取得した紙幣の外形をもとに金種を鑑別する機能を有する。
【００１３】
１６は一時保管部であり、窓口取引が確定するまでの間、鑑別部１５で正券と鑑別された紙幣を一時保管する他、整理計数処理を実行している間は１金種の紙幣を集積する。
１７は出金部であり、出金取引で顧客に払出す紙幣を蓄積する出金口を有しており、窓口係員はその出金口から紙幣を取り出すことができる。また出金部１７には紙幣の残留を検知する出金口センサ１７ａが設けられている。この出金部１７は入金取引時には入金された紙幣の内、リジェクト紙幣と鑑別された紙幣を返却するためのリジェクト口として機能する。
【００１４】
１８は紙幣収納部であり、予め定められた金種、例えば出金取引で用いられる千円札や１万円札の紙幣を一定枚数収納する紙幣収納庫と、上記の金種以外の金種（２千円札や５千円札）の紙幣を収納する紙幣収納庫、上記の紙幣収納庫に入りきらなかった紙幣や整理計数処理において整理計数する紙幣等を収納する予備収納庫１８ａ（空き収納部）等の複数の紙幣収納庫を有している。
【００１５】
１９はリジェクト収納部であり、窓口での出金取引を行う際に紙幣収納部１８から繰出されて、鑑別部１５で鑑別された紙幣の内、リジェクト紙幣と鑑別された紙幣を収納するための収納部である。
図１において、２０は金融機関の店舗に設置されたホストコンピュータであり、店舗に設置されている窓口端末１と専用回線や電話回線等の通信回線を介して接続しており、顧客の口座の口座番号やその暗証番号、口座残高等の顧客情報を保有して顧客の口座を管理する。
【００１６】
上述した構成の作用について、図３に示す実施例１の整理計数処理を示すフローチャートを用い、Ｓで示すステップに従って説明する。
Ｓ１、窓口端末１の窓口制御部４は、各種取引処理や整理計数処理等の処理内容選択キーを配した処理選択画面を窓口表示部２に表示する。
窓口係員は、窓口入力部３によって整理計数処理の選択キーを入力する。
【００１７】
なお、整理計数処理で予備収納庫１８ａに紙幣を収納するため、窓口係員は整理計数処理の選択キー入力前に予め予備収納庫１８ａ内の紙幣を取り出しておくようにする。
Ｓ２、窓口制御部４は、整理計数処理の選択キーの入力を認識すると、紙幣処理機１０に整理計数処理を実行する旨の電文を送信すると共に、紙幣処理機１０の紙幣投入口に紙幣を投入するように促す投入誘導画面を窓口表示部２に表示する。これによって紙幣処理機１０は投入される紙幣を受け入れることが可能な状態となる。
【００１８】
窓口係員は、表示された投入誘導画面に従って複数金種が混在した紙幣を紙幣投入口に投入する。
Ｓ３、紙幣処理機１０の処理機制御部１１は、整理計数処理実行電文を受信して紙幣投入口に紙幣が投入されると、紙幣投入部１３によって投入された紙幣を１枚ずつ分離して搬送路１４に繰出し、その１枚目の紙幣を搬送路１４により鑑別部１５に搬送する。
【００１９】
Ｓ４、処理機制御部１１は、搬送された１枚目の紙幣を鑑別部１５によって鑑別し、その鑑別結果から正券であることを確認すると共に、金種を確認して紙幣を一時保管部１６に搬送して集積する。
なお、ここでは鑑別された金種は千円札であるものとし、処理機制御部１１は千円札を第１の特定金種として処理機記憶部１２に記憶すると共に、第１の特定金種である千円札と鑑別した紙幣の計数を開始すると共に、計数した紙幣枚数を処理機記憶部１２に記憶していく。
【００２０】
Ｓ５、処理機制御部１１は、紙幣投入部１３によって２枚目の紙幣を分離して繰出し、搬送路１４により鑑別部１５に搬送する。
Ｓ６、処理機制御部１１は、鑑別部１５によって２枚目の紙幣を鑑別しその鑑別結果から正券であり、かつ１枚目の紙幣と異なる金種であることを確認し、その紙幣を予備収納庫１８ａに搬送して集積する。
【００２１】
なお、ここでは鑑別された金種は１万円札であるものとし、処理機制御部１１は１万円札を第２の特定金種として処理機記憶部１２に記憶すると共に、第２の特定金種である１万円札と鑑別した紙幣の計数を開始すると共に、計数した紙幣枚数を処理機記憶部１２に記憶していく。
Ｓ７、処理機制御部１１は、紙幣投入部１３によって残りの紙幣を１枚ずつ分離して繰出し、搬送路１４により順次鑑別部１５へと搬送する。
【００２２】
Ｓ８、処理機制御部１１は、鑑別部１５により紙幣を鑑別し、その鑑別結果から紙幣が千円札であると判断した場合はステップＳ９に進み、それ以外の場合はステップＳ１０に移行する。
Ｓ９、処理機制御部１１は、紙幣が千円札であることを確認するとその紙幣を一時保管部１６に搬送して集積してステップＳ１３に移行する。このとき処理機制御部１１は計数している一時保管部１６に搬送した紙幣枚数に１を加算する。
【００２３】
Ｓ１０、処理機制御部１１は、上記ステップＳ８の鑑別結果から千円札以外の紙幣であって、その紙幣が１万円札と判断した場合はステップＳ１１に進み、１万円札以外の紙幣あるいはリジェクト紙幣であると判断した場合はステップＳ１２に移行する。
Ｓ１１、処理機制御部１１は、紙幣が１万円札であることを確認するとその紙幣を予備収納庫１８ａに搬送して集積してステップＳ１３に移行する。このとき処理機制御部１１は計数している予備収納庫１８ａに搬送した紙幣枚数に１を加算する。
【００２４】
Ｓ１２、処理機制御部１１は、紙幣が千円札でなく、かつ１万円札ではない金種あるいはリジェクト紙幣であることを確認するとその紙幣を出金部１７に搬送して蓄積することで窓口係員に返却し、ステップＳ１３に移行する。
なお、処理機制御部１１は紙幣返却電文を窓口端末１に送信することで、窓口端末１の窓口制御部４は、紙幣処理機１０の出金口から返却した紙幣を抜き取るように促す画面を窓口表示部２に表示する。
【００２５】
窓口係員は表示された画面に従い出金口に返却された千円札や１万円札ではない金種の紙幣とリジェクト紙幣を抜き取る。
Ｓ１３、処理機制御部１１は、投入口センサ１３ａによって紙幣投入口内の紙幣の有無を確認し、紙幣が残っている場合は上記ステップＳ７に戻って再び紙幣の分離繰出し及び鑑別部１５による鑑別を行い、紙幣が無いことを確認した場合はステップＳ１４に進む。
【００２６】
Ｓ１４、処理機制御部１１は、記憶している千円札の枚数と１万円札の枚数を読み出して窓口端末１に送信し、出金口センサ１７ａによって出金部１７に残留している紙幣が無いことを確認して一時保管部１６に集積している全ての紙幣、つまり全ての千円札を出金部１７に搬送して集積する。
窓口端末１の窓口制御部４は、受信した千円札の枚数と１万円の枚数とを窓口表示部２に表示すると共に、紙幣処理機１０の出金部１７の出金口に千円札を集積する旨とその千円札が抜き取られた後、出金口に１万円札を集積する旨の文言等を配した画面を表示する。
【００２７】
Ｓ１５、処理機制御部１１は、出金口センサ１７ａにより出金部１７に前ステップＳ１４で集積した千円札が残留しているか否かを判定し、千円札が無いことを確認して予備収納庫１８ａに集積している全ての紙幣、つまり全ての１万円札を出金部１７に搬送して集積し、整理計数処理を終了する。
以上説明したように、本実施例では、整理計数処理を行ったときに紙幣処理機に投入された紙幣から２種類の金種を特定し、第１の特定金種を一時保管部に集積して第２の特定金種を紙幣収納部の予備収納庫に集積するため、１回の整理計数処理で２種類の金種の紙幣を整理することができ、窓口係員にとって整理計数処理にかかる手間を軽減することができるという効果が得られる。
【００２８】
なお、上記実施例１においては、第１の特定金種と第２の特定金種である紙幣の枚数は、紙幣投入口から鑑別部へ搬送した際の鑑別時に計数しているだけであるが、一時保管部や予備収納庫から出金部に紙幣を搬送するときに鑑別部を経由させ、そのときに再計数を行うようにしてもよい。
また、上記実施例１においては、投入口センサで紙幣投入口に紙幣が残留していないことを確認し、一時保管部もしくは予備収納庫に集積した紙幣の搬送を行っているが、一時保管部もしくは予備収納庫から出金部へと紙幣を搬送する前に、窓口端末の窓口表示部に紙幣の出金開始の有無を問う文言と出金を開始する開始指示キーを配した画面を表示させるようにし、窓口係員が窓口操作部により開始指示キーの入力がなされたときに紙幣を出金部へ搬送するようにしてもよい。
【００２９】
またこのとき、開始指示キーの入力と共に予め定めたパスワードや暗証番号を入力させるようにしてセキュリティー向上を図るようにしてもよい。
【実施例２】
【００３０】
本実施例の窓口取引システムの構成において、上記実施例１と同様の部分は、同一の符号を付してその説明を省略する。
本実施例における整理計数処理について、図４に示す実施例２の整理計数処理を示すフローチャートを用い、ＳＡで示すステップに従って説明する。
ＳＡ１、窓口端末１の窓口制御部４は、各種取引処理や整理計数処理等の処理内容選択キーを配した処理選択画面を窓口表示部２に表示する。
【００３１】
窓口係員は、窓口入力部３によって整理計数処理の選択キーを入力する。
なお、整理計数処理で予備収納庫１８ａに紙幣を収納するため、窓口係員は整理計数処理の選択キー入力前に予め予備収納庫１８ａ内の紙幣を取り出しておくようにする。
ＳＡ２、窓口制御部４は、整理計数処理の選択キーの入力を認識すると、整理計数処理において紙幣収納部１８の予備収納庫１８ａに集積する紙幣の指定枚数の入力を促す文言とその指定枚数入力欄を配した指定枚数入力画面を窓口表示部２に表示する。
【００３２】
窓口係員は、表示された画面に従って窓口入力部３により指定枚数入力欄に指定枚数を入力してその入力を確定する入力操作を行う。
ＳＡ３、窓口制御部４は、入力された指定枚数を付した整理計数処理実行電文を紙幣処理機１０に送信すると共に、紙幣処理機１０の紙幣投入口に紙幣を投入するように促す投入誘導画面を窓口表示部２に表示する。これによって紙幣処理機１０は投入される紙幣を受け入れることが可能な状態となる。
【００３３】
窓口係員は、表示された投入誘導画面に従って複数金種が混在した紙幣を紙幣投入口に投入する。
ＳＡ４、紙幣処理機１０の処理機制御部１１は、受信した整理計数処理実行電文の指定枚数を処理機記憶部１２に記憶しておき、紙幣投入口に紙幣が投入されると、紙幣投入部１３によって投入された紙幣を１枚ずつ分離して搬送路１４に繰出し、その１枚目の紙幣を搬送路１４により鑑別部１５に搬送する。
【００３４】
ＳＡ５、処理機制御部１１は、搬送された１枚目の紙幣を鑑別部１５によって鑑別し、その鑑別結果から正券であることを確認すると共に、金種を確認して紙幣を一時保管部１６に搬送して集積する。
なお、ここでは鑑別された金種は千円札であるものとし、処理機制御部１１は千円札を第１の特定金種として処理機記憶部１２に記憶すると共に、第１の特定金種である千円札と鑑別した紙幣の計数を開始して、計数した紙幣枚数を処理機記憶部１２に記憶していく。
【００３５】
ＳＡ６、処理機制御部１１は、紙幣投入部１３によって２枚目の紙幣を分離して繰出し、搬送路１４により鑑別部１５に搬送する。
ＳＡ７、処理機制御部１１は、鑑別部１５によって２枚目の紙幣を鑑別しその鑑別結果から正券であり、かつ１枚目の紙幣と異なる金種であることを確認し、その紙幣を予備収納庫１８ａに搬送して集積する。
【００３６】
なお、ここでは鑑別された金種は１万円札であるものとし、処理機制御部１１は１万円札を第２の特定金種として処理機記憶部１２に記憶すると共に、第２の特定金種である１万円札と鑑別した紙幣の計数を開始し、計数した紙幣枚数を処理機記憶部１２に記憶していく。
ＳＡ８、処理機制御部１１は、紙幣投入部１３により残っている紙幣を１枚ずつ分離して繰出し、搬送路１４により順次鑑別部１５へと搬送する。
【００３７】
ＳＡ９、処理機制御部１１は、鑑別部１５により紙幣を鑑別し、その鑑別結果から紙幣が千円札であると判断した場合はステップＳＡ１０に進み、それ以外の場合はステップＳＡ１１に移行する。
ＳＡ１０、処理機制御部１１は、紙幣が千円札であることを確認するとその紙幣を一時保管部１６に搬送して集積しステップＳＡ１５に移行する。このとき処理機制御部１１は計数している一時保管部１６に搬送した紙幣枚数に１を加算する。
【００３８】
ＳＡ１１、処理機制御部１１は、上記ステップＳＡ９の鑑別結果から千円札以外の紙幣であって、その紙幣が１万円札と判断した場合はステップＳＡ１２に進み、１万円札以外の紙幣あるいはリジェクト紙幣であると判断した場合はステップＳＡ１４に移行する。
ＳＡ１２、処理機制御部１１は、処理機記憶部１２に記憶している計数している第２の特定金種である１万円札の紙幣枚数と指定枚数とを読み出し、指定枚数未満であるか否かを判断し、指定枚数未満と判断した場合はステップＳＡ１３に進み、指定枚数であると判断した場合はステップＳＡ１４に移行する。
【００３９】
ＳＡ１３、処理機制御部１１は、予備収納庫１８ａに集積している１万円札が指定枚数未満であることを確認すると、新たに１万円札であることを確認した紙幣を予備収納庫１８ａに搬送して集積してステップＳＡ１５に移行する。このとき処理機制御部１１は計数している予備収納庫１８ａに搬送した紙幣枚数に１を加算する。
ＳＡ１４、処理機制御部１１は、千円札でも１万円札でもないと確認した紙幣、リジェクト紙幣、既に予備収納庫１８ａに指定枚数の１万円札が集積されていて１万円札と確認した紙幣を出金部１７に搬送して蓄積することで窓口係員に返却し、ステップＳＡ１５に移行する。
【００４０】
なお、処理機制御部１１は紙幣返却電文を窓口端末１に送信することで、窓口端末１の窓口制御部４は、紙幣処理機１０の出金口から返却した紙幣を抜き取るように促す画面を窓口表示部２に表示する。
窓口係員は表示された画面に従い出金口に返却された紙幣を抜き取る。
ＳＡ１５、処理機制御部１１は、投入口センサ１３ａによって紙幣投入口内の紙幣の有無を確認し、紙幣が残っている場合は上記ステップＳＡ８に戻って再び紙幣の分離繰出し及び鑑別部１５による鑑別を行い、紙幣が無いことを確認した場合はステップＳＡ１６に進む。
【００４１】
ＳＡ１６、処理機制御部１１は、記憶している千円札の枚数を読み出して窓口端末１に送信し、出金口センサ１７ａによって出金部１７に残留している紙幣が無いことを確認して一時保管部１６に集積している全ての紙幣、つまり全ての千円札を出金部１７に搬送して集積する。
窓口端末１の窓口制御部４は、受信した千円札の枚数を窓口表示部２に表示すると共に、紙幣処理機１０の出金部１７の出金口に集積する千円札の抜き取りを促す文言等を配した画面を表示する。
【００４２】
ＳＡ１７、処理機制御部１１は、記憶している指定枚数と１万円札の紙幣枚数とを読み出し、両枚数が一致しているか否かを判断し、一致しているときはステップＳＡ１９に進み、一致していないときは次のステップＳＡ１８に進む。
ＳＡ１８、処理機制御部１１は、追加投入待ち電文を窓口端末１に送信することで、窓口端末１の窓口制御部４に対して窓口表示部２に紙幣が指定枚数に達していない旨の画面と紙幣の追加投入を促す画面を表示させるようにし、紙幣投入口に紙幣が投入されたことを確認して上記ステップＳＡ８に戻って紙幣投入部１３により残っている紙幣を１枚ずつ分離搬送する。
【００４３】
上記のように窓口端末１の窓口表示部２に追加投入を促す画面を表示させることで、紙幣投入口に入りきらない等によって最初に投入できなかった紙幣を追加投入することが可能となる。
ＳＡ１９、処理機制御部１１は、出金口センサ１７ａにより出金部１７に上記ステップＳＡ１６で集積した千円札が残留しているか否かを判定し、千円札が無いことを確認して予備収納庫１８ａに集積している全ての紙幣、つまり全ての１万円札を出金部１７に搬送して集積し、整理計数処理を終了する。
【００４４】
なお、処理機制御部１１は記憶している１万円札の枚数を読み出して窓口端末１に送信する。これによって窓口端末１の窓口制御部４は、受信した１万円札の枚数を窓口表示部２に表示すると共に、紙幣処理機１０の出金部１７の出金口に集積する１万円札の抜き取りを促す文言等を配した画面を表示する。
以上説明したように、本実施例は、上記実施例１の効果に加えて予備収納庫に集積する紙幣枚数を指定することができるので、窓口係員の希望にそった紙幣枚数の整理を行うことができる。
【実施例３】
【００４５】
本実施例の窓口取引システムの構成において、上記各実施例と同様の部分は同一の符号を付してその説明を省略する。
本実施例の整理計数処理を図５に示す実施例３の整理計数処理を示すフローチャートを用い、ＳＢで示すステップに従って説明する。
ＳＢ１、窓口端末１の窓口制御部４は、各種取引処理や整理計数処理等の処理内容選択キーを配した処理選択画面を窓口表示部２に表示する。
【００４６】
窓口係員は、窓口入力部３によって整理計数処理の選択キーを入力する。
なお、整理計数処理で予備収納庫１８ａに紙幣を収納するため、窓口係員は整理計数処理の選択キー入力前に予め予備収納庫１８ａ内の紙幣を取り出しておくようにする。
ＳＢ２、窓口制御部４は、整理計数処理の選択キーの入力を認識すると、整理計数処理において紙幣収納部１８の予備収納庫１８ａに集積する紙幣の金種と指定枚数の入力を促す文言とその金種を選択する金種選択欄と指定枚数入力欄を配した金種入力画面を窓口表示部２に表示する。
【００４７】
窓口係員は、表示された画面に従って窓口入力部３により金種選択欄から金種を選択すると共に、指定枚数入力欄に指定枚数を入力する。
ＳＢ３、窓口制御部４は、選択された金種（指定金種という。）と入力された指定枚数とを付した整理計数処理実行電文を紙幣処理機１０に送信すると共に、紙幣処理機１０の紙幣投入口に紙幣を投入するように促す投入誘導画面を窓口表示部２に表示する。これによって紙幣処理機１０は投入される紙幣を受け入れることが可能な状態となる。
【００４８】
窓口係員は、表示された投入誘導画面に従って複数金種が混在した紙幣を紙幣投入口に投入する。
ＳＢ４、紙幣処理機１０の処理機制御部１１は、受信した整理計数処理実行電文の指定金種と指定枚数を処理機記憶部１２に記憶しておき、紙幣投入口に紙幣が投入されると、紙幣投入部１３によって投入された紙幣を１枚ずつ分離して搬送路１４に繰出し、その紙幣を搬送路１４により鑑別部１５に搬送する。
【００４９】
ＳＢ５、処理機制御部１１は、搬送された紙幣を鑑別部１５によって鑑別し、その鑑別結果から正券であることを確認すると共にその金種を確認する。なお、本ステップで確認した金種は指定金種と異なる金種であったものとする。
ＳＢ６、処理機制御部１１は、当該鑑別した紙幣の金種を特定金種として処理機記憶部１２に記憶しておき、その紙幣を一時保管部１６に搬送して集積する。
【００５０】
なお、処理機制御部１１は特定金種と鑑別した紙幣枚数の計数を開始し、計数した紙幣枚数を処理機記憶部１２に記憶する。
ＳＢ７、処理機制御部１１は、紙幣投入部１３によって紙幣投入口に残っている紙幣を分離して繰出し、搬送路１４により鑑別部１５に搬送する。
ＳＢ８、処理機制御部１１は、鑑別部１５によって紙幣を鑑別しその鑑別結果から指定金種の紙幣である場合は次のステップＳＢ９に進み、それ以外の場合はステップＳＢ１１に移行する。
【００５１】
ＳＢ９、処理機制御部１１は、紙幣が指定金種であることを確認すると、記憶している特定金種の紙幣枚数と指定枚数を読み出し、特定金種の紙幣枚数が指定枚数未満であるか否かを判断し、指定枚数未満であるときは次のステップＳＢ１０に進み、指定枚数となっているときはステップＳＢ１３に移行する。
ＳＢ１０、処理機制御部１１は、紙幣を予備収納庫１８ａに搬送して集積してステップＳＢ１４に移行する。このとき処理機制御部１１は計数している特定金種の紙幣枚数に１を加算する。
【００５２】
ＳＢ１１、処理機制御部１１は、上記ステップＳＢ８の鑑別結果から指定金種以外の紙幣であって、その紙幣が上記ステップＳＢ６で記憶した特定金種の紙幣と判断した場合はステップＳＢ１２に進み、特定金種以外の紙幣あるいはリジェクト紙幣であると判断した場合はステップＳＢ１３に移行する。
ＳＢ１２、処理機制御部１１は、紙幣を一時保管部１６に搬送して集積しステップＳＢ    に移行する。このとき処理機制御部１１は計数している特定金種の紙幣枚数に１を加算する。
【００５３】
ＳＢ１３、処理機制御部１１は、指定金種でも特定金種でもないと確認した紙幣、リジェクト紙幣、既に予備収納庫１８ａに指定枚数が集積されている状態で指定金種と確認した紙幣を出金部１７に搬送して蓄積することで窓口係員に返却し、ステップＳＢ１４に移行する。
なお、処理機制御部１１は紙幣返却電文を窓口端末１に送信することで、窓口端末１の窓口制御部４は、紙幣処理機１０の出金口から返却した紙幣を抜き取るように促す画面を窓口表示部２に表示する。
【００５４】
窓口係員は表示された画面に従い出金口に返却された紙幣を抜き取る。
ＳＢ１４、処理機制御部１１は、投入口センサ１３ａによって紙幣投入口内の紙幣の有無を確認し、紙幣が残っている場合は上記ステップＳＢ７に戻って再び紙幣の分離繰出し及び鑑別部１５による鑑別を行い、紙幣が無いことを確認した場合はステップＳＢ１５に進む。
【００５５】
ＳＢ１５、処理機制御部１１は、記憶している特定枚数を読み出して窓口端末１に送信し、出金口センサ１７ａによって出金部１７に残留している紙幣が無いことを確認して一時保管部１６に集積している全ての紙幣を出金部１７に搬送して集積する。
窓口端末１の窓口制御部４は、受信した千円札の枚数を窓口表示部２に表示すると共に、紙幣処理機１０の出金部１７の出金口に集積する千円札の抜き取りを促す文言等を配した画面を表示する。
【００５６】
ＳＢ１６、処理機制御部１１は、記憶している指定金種の紙幣枚数と指定枚数とを読み出し、両枚数が一致しているか否かを判断し、一致しているときはステップＳＢ１８に進み、一致していないときは次のステップＳＢ１７に進む。
ＳＢ１７、処理機制御部１１は、追加投入待ち電文を窓口端末１に送信することで、窓口端末１の窓口制御部４に対して窓口表示部２に紙幣が指定枚数に達していない旨の画面と紙幣の追加投入を促す画面を表示させるようにし、紙幣投入口に紙幣が投入されたことを確認して上記ステップＳＢ７に戻って紙幣投入部１３により残っている紙幣を１枚ずつ分離搬送する。
【００５７】
ＳＢ１８、処理機制御部１１は、出金口センサ１７ａにより出金部１７に上記ステップＳＢ１５で集積した紙幣が残留しているか否かを判定し、紙幣が残留してないことを確認して予備収納庫１８ａに集積している全ての指定金種の紙幣を出金部１７に搬送して集積し、整理計数処理を終了する。
なお、処理機制御部１１は記憶している指定金種の紙幣枚数を読み出して窓口端末１に送信する。これによって窓口端末１の窓口制御部４は、受信した指定金種の紙幣枚数を窓口表示部２に表示すると共に、紙幣処理機１０の出金部１７の出金口に集積する紙幣の抜き取りを促す文言等を配した画面を表示する。
【００５８】
以上説明したように、本実施例は、上記実施例１の効果に加えて、予備収納庫に収納する紙幣の金種を定めるので、整理計数処理の利便性を向上させることができる。
なお、上記各実施例においては、紙幣収納部１８の予備収納庫１８ａを用いた場合を例に説明したが、これに限らず予備収納庫１８ａの代わりにリジェクト収納部１９に紙幣を収納するようにしてもよい。その場合、上記実施例１、２における第２の特定金種の紙幣および上記実施例３における指定金種の紙幣を収納するようにする。またリジェクト収納部１９に紙幣を収納した場合はリジェクト収納部１９に紙幣を集積した旨とリジェクト収納部１９から直接紙幣を取り出すように促す画面を表示するようにする。
【００５９】
なお、上記各実施例においては、紙幣投入部内に紙幣が残留していないことを確認して一時保管部に集積した紙幣を出金部に搬送し、次にその搬送した紙幣が出金部に残留していないことを確認してから予備収納庫に集積した紙幣を出金部に搬送しているが、それに加えて窓口端末から一時保管部からの紙幣搬送の指示および予備収納庫からの紙幣搬送の指示を受付け、それぞれの紙幣の搬送を開始するようにしてもよい。
【００６０】
その場合、例えば処理機制御部は窓口端末に出金開始確認電文を送信する。これにより窓口制御部は、出金口へ紙幣を搬送しても良いか否かを問う文言と確認キー等を配した画面を窓口表示部に表示し、窓口係員が窓口入力部で行った確認キー入力を受付けたとき、その確認入力がなされたことを示す電文を紙幣処理機に送信する。そして処理機制御部は紙幣の搬送を開始するようにすればよい。
【００６１】
また、上記各実施例においては、最初に特定した金種の紙幣を一時保管部に集積して２番目に特定した金種の紙幣を予備収納庫に集積したが、これに限るものではなく最初に特定した金種の紙幣を予備収納庫に集積し、２番目に特定した金種の紙幣を一時保管部に集積するようにしてもよいことはいうまでもない。
【符号の説明】
【００６２】
１    窓口端末
２    窓口表示部
３    窓口入力部
４    窓口制御部
５    窓口記憶部
１０  紙幣処理機
１１  処理機制御部
１２  処理機記憶部
１３  紙幣投入部
１３ａ  投入口センサ
１４  搬送路
１５  鑑別部
１６  一時保管部
１７  出金部
１７ａ  出金口センサ
１８  紙幣収納部
１８ａ  予備収納庫
１９  リジェクト収納部
２０  ホストコンピュータ
【図１】
2010176430.tif 000003
【図２】
2010176430.tif 000004
【図３】
2010176430.tif 000005
【図４】
2010176430.tif 000006
【図５】
2010176430.tif 000007